(57)【要約】【課題】  共有無線チャネルの無線効率を向上させ、MBMSコンテンツを簡易な手順で伝送するためのデータ伝送システムを提供すること。【解決手段】  データ伝送システムは1以上の無線基地局から１以上の移動局へユーザ共通データをマルチキャストする。無線基地局は、ユーザ共通データを共有データチャネルで伝送し、付随制御情報を付随制御チャネルで伝送し、報知情報を報知チャネルで伝送する手段を有する。移動局は、共有データチャネル、付随制御チャネル及び報知チャネルを受信する手段と、前記報知情報及び前記付随制御情報を分析する手段とを有する。前記報知情報は付随制御チャネルの伝送タイミングを示す情報を含む。付随制御情報は共有データチャネルの無線パラメータの情報及びユーザ共通データの配信時間を示す配信情報を含む。【選択図】  図１
2007081574.tif 000002
【特許請求の範囲】
【請求項１】
1以上の無線基地局から１以上の移動局へユーザ共通データを配信するデータ伝送システムであって、
無線基地局は、報知情報を生成する手段と、付随制御情報を生成する手段と、ユーザ共通データを記憶する手段と、ユーザ共通データを共有データチャネルで伝送し、付随制御情報を付随制御チャネルで伝送し、報知情報を報知チャネルで伝送する手段とを有し、
移動局は、共有データチャネル、付随制御チャネル及び報知チャネルを受信する手段と、前記報知情報及び前記付随制御情報を分析する手段とを有し、
前記報知情報には付随制御チャネルの伝送タイミングを示す情報及びユーザ共通データの配信に必要な共通制御情報を含み、
前記付随制御情報は共有データチャネルの無線パラメータの情報及びユーザ共通データの配信に必要なユーザ共通データ毎の制御情報を含む
ことを特徴とするデータ伝送システム。
【請求項２】
１以上の移動局へユーザ共通データをマルチキャストするための無線基地局であって、
報知情報を生成する手段と、
付随制御情報を生成する手段と、
ユーザ共通データを記憶する手段と、
ユーザ共通データを共有データチャネルで伝送し、付随制御情報を付随制御チャネルで伝送し、報知情報を報知チャネルで伝送する手段と、
を有し、前記報知情報は付随制御チャネルの伝送タイミングを示す情報及びユーザ共通データの配信に必要な共通制御情報を含み、
前記付随制御情報は共有データチャネルの無線パラメータの情報及びユーザ共通データの配信に必要なユーザ共通データ毎の制御情報を含む
ことを特徴とする無線基地局。
【請求項３】
所定の識別子に関連付けられる符号で付随制御チャネルを符号化する手段
を更に有し、前記配信情報を含む一部の付随制御チャネルがユーザ共通データのグループ識別子に関連付けられる符号で符号化される
ことを特徴とする請求項２記載の無線基地局。
【請求項４】
前記報知情報に、Uプレーンの設定方法を示す情報、アクセス規制情報及び隣接セルの情報のいずれかが含まれる
ことを特徴とする請求項２記載の無線基地局。
【請求項５】
前記付随制御情報に、共有データチャネルの無線パラメータ及びユーザ共通データの配信情報のいずれかが含まれる
ことを特徴とする請求項２記載の無線基地局。
【請求項６】
前記配信情報に、ユーザ共通データの伝送開始タイミング、伝送終了タイミング及び繰り返し伝送回数を示す情報のいずれかが含まれる
ことを特徴とする請求項２記載の無線基地局。
【請求項７】
1以上の無線基地局からマルチキャストされるユーザ共通データを受信する移動局であって、
ユーザ共有データを共有データチャネルで、付随制御情報を付随制御チャネルで及び報知情報を報知チャネルで受信する手段と、
前記報知情報及び前記付随制御情報を分析する手段と、
前記分析した報知情報及び付随制御情報に含まれるユーザ共通データの受信に必要な制御情報を設定する手段と、
を有することを特徴とする移動局。
【請求項８】
1以上の無線基地局から１以上の移動局へユーザ共通データをマルチキャストするデータ伝送方法であって、
無線基地局が、ユーザ共通データを共有データチャネルで、付随制御情報を付随制御チャネルで及び報知情報を報知チャネルで伝送し、
移動局が、共有データチャネル、付随制御チャネル及び報知チャネルを受信し、前記報知情報及び前記付随制御情報を分析し、
前記報知情報は付随制御チャネルの伝送タイミングを示す情報を含み、
前記付随制御情報は共有データチャネルの無線パラメータの情報及びユーザ共通データの配信時間を示す配信情報を含む
ことを特徴とするデータ伝送方法。
【請求項９】
前記移動局が、自セルの付随制御チャネルに加えて所定の信号品質条件を満足する他セルの付随制御チャネルも受信する
ことを特徴とする請求項８記載のデータ伝送方法。
【発明の詳細な説明】
【技術分野】
【０００１】
本発明は、無線通信の技術分野に関し、特にマルチメディア・ブロードキャスト／マルチキャスト・サービス（MBMS: Multimedia Broadcast/Multicast Service）用の信号を伝送するデータ伝送システム、データ伝送方法、基地局及び移動端末に関する。
【背景技術】
【０００２】
近年の移動通信システムでは、回線交換型の音声サービスだけでなく、パケット交換方式による大容量のマルチメディアサービスが行われつつある。第三世代標準化機構（3GPP）ではパケット交換方式においてＭＢＭＳが想定され、それに関連するＵＴＲＡＮアーキテクチャや無線チャネルに関する構成が公表されている（非特許文献１参照。）。MBMSのコンテンツはトラフィックチャネル（MTCH）で表現され、それを伝送するための制御チャネル（MCCHおよびMSCH）は、SCCPCH（Secondly Common Control Physical Channel）上で伝送される。ここで、MCCHは、MBMSアクセス情報(MBMS ACEESS INFORMATION)メッセージその他の制御メッセージを含む。特に、これらの制御メッセージは、SCCPCH上で、指定された期間内（Modification period）で、指定された繰り返し送信タイミング（Repetition period）で伝送される。ここで、“Modification period”および“ Repetition period”は、PCCPCH（Primary Common Control Physical Channel）で伝送される、即ち報知情報で報知される。また、RRCメッセージの“MBMS GENERAL INFORMATION”メッセージに、或いは“MBMS CURRENT CELL P-T-M RB INFORMATION”に含まれるMSCH構成情報(Configuration Information)で指定されるタイミングで、MSCHの伝送タイミングが指定される。MSCHは、MCCHと同様に、SCCPCH上でMSCH構成情報で指定された繰り返しタイミングで伝送される。MSCHによりMTCH（MBMSのコンテンツ）の伝送タイミングが指定され、移動局(UE)は指定されたスケジューリングタイミングで、MBMSコンテンツの受信を行なう。MTCHが配信可能な箇所は、SCCPCH上で固定的には限定されていない。
【非特許文献１】3GPPインターフェース規格,3GPP“TS25.11”,“TS25.346”,“TS25.331”,インターネット<URL:http://www.3gpp.org>
【発明の開示】
【発明が解決しようとする課題】
【０００３】
従来技術では、MBMSコンテンツを配信する為の制御信号（MCCH、MSCH）およびMBMSコンテンツ（MTCH）が、同一の無線チャネル（SCCPCH）で基地局(BTS又はノードB)から移動局（UE）へ伝送される。UEは、セル移行時あるいは端末の電源ON時のタイミングで報知情報（BCCH）を受信することにより、在圏セルでの反復的なMCCHの伝送タイミングを把握する。ユーザは、MBMSの様々なサービス内容の中で興味のあるものを見つけると、MBMSサービスのアクティベーション（MICHで通知がある場合等）を確認し、MICHに付随したMCCHの受信を開始する。MCCHにはMBMSアクセス情報（MBMS ACCESS INFORMATION）、MBMS修正情報（MBMS MODIFICATION INFORMATION）、MBMS在圏セル情報（MBMS CURRENT CELL INFORMATION）及びMBMS一般情報（MBMS GENERAL INFORMATION）等が含まれてもよい。これらの制御信号を受信することにより、UEは共通パラメータ、隣接セル情報、MSCHの繰り返しタイミング等のMBMSコンテンツに受信に必要な情報を把握することができる。指定されたタイミングでMSCHを受信することにより、MTCH（MBMSコンテンツ）の伝送タイミングを把握することができ、その伝送タイミングでMTCHを受信することができる。この様に従来の手法ではUEがMBMSコンテンツ（MTCH）の受信を開始するまでのプロセスが複雑である。また、SCCPCH上で制御情報を一律に周期的に伝送することは、共通チャネルの無線効率を低下させるかもしれない。
【０００４】
一方、第三世代標準化機構（3GPP）で議論が開始された将来の移動通信システムでは、下り方向の無線チャネルはR5のHSDPA（High Speed Downlink Packet Access）と同様に、共有の無線チャネルおよび共有の制御チャネルを使用することが予想される。共有の無線チャネル上では、SCCPCHと同様に、論理チャネルの種別に拠らず様々な論理チャネルが伝送されてもよい。しかしながら、MCCH,MSCHを同一の無線チャネル（SCCPCH）で伝送するR6の MBMSと同様に、MCCH,MSCHを共有無線チャネル上で一律に周期的に伝送すると、共有無線チャネルの使用効率の低下が懸念される。
【０００５】
本発明は、上記問題点の少なくとも１つに対処するためになされたものであり、その課題は、共有無線チャネルの無線効率を向上させ、MBMSコンテンツを簡易な手順で伝送するためのデータ伝送システム、データ伝送方法、基地局及び移動局を提供することである。
【課題を解決するための手段】
【０００６】
本発明では1以上の無線基地局(BTS)から１以上の移動局(UE)へユーザ共通データをマルチキャストするデータ伝送システムが使用される。無線基地局は、ユーザ共通データを共有データチャネル(E-PDSCH)で伝送し、付随制御情報を付随制御チャネル(E-SCCH)で伝送し、報知情報を報知チャネルで伝送する手段を有する。移動局は、共有データチャネル、付随制御チャネル及び報知チャネルを受信する手段と、前記報知情報及び前記付随制御情報を分析する手段とを有する。前記報知情報は付随制御チャネルの伝送タイミングを示す情報を含む。付随制御情報は共有データチャネルの無線パラメータの情報とユーザ共通データの配信時間を示す配信情報とを少なくとも含む。
【発明の効果】
【０００７】
本発明によれば、共有無線チャネルの無線効率を低下させることなく、MBMSコンテンツを簡易な手順で伝送することができる。
【発明を実施するための最良の形態】
【０００８】
本発明の一形態によれば、ユーザ共通データが共有データチャネル(E-PDSCH)で伝送され、共有データチャネルの無線パラメータを少なくとも含む付随制御情報が付随制御チャネル(E-SCCH)で伝送され、報知情報が報知チャネルで伝送される。MBMSのサービスに依存しない共通設定パラメータ（付随制御チャネルの伝送タイミング、アクセス規制情報等）を報知情報として周期的に伝送することにより、付随制御チャネルの無線効率の低下を抑制しつつMBMS用の制御信号を配信することができる。また、一例として、無線チャネル上でMBMS用のリソース割当て可能な箇所は限定されるものとすると、RB(無線ベアラ)の設定手順を省略することができる。UEは、電源投入時、或いは、セル移行時に、報知情報を受信し、その後は、E-SCCHを受信するのみでMTCHの配信を受けることができるので、MTCHの配信手順をシンプルにすることができる。
【０００９】
付随制御チャネルは所定の識別子に関連付けられる符号で符号化されてもよい。配信情報を含む一部の付随制御チャネルがユーザ共通データのグループ識別子に関連付けられる符号で符号化され、他の付随制御チャネルは各ユーザの識別子に関連付けられる符号で符号化されてもよい。これにより、MBMSの配信情報と個々のユーザへの制御情報とを簡易に識別することができる。
【００１０】
付随制御情報には、共有データチャネルの無線パラメータ及びユーザ共通データの配信時間を示す配信情報が含まれてもよい。
【００１１】
配信情報には、ユーザ共通データの伝送開始タイミング、伝送終了タイミング及び繰り返し伝送回数を示す情報が含まれてもよい。
【００１２】
移動局は自セルの付随制御チャネルに加えて所定の信号品質条件を満足する他セルの付随制御チャネルをも受信してよい。これにより移動局が自セルだけでなく他セルからの配信情報及びユーザ共通データを受信し、それらを合成（ソフトコンバイニング）することができる。
【実施例１】
【００１３】
以下、本発明による第1の実施例が説明される。
【００１４】
<通信システム>
図１は本実施例で想定される通信システムを示す。図１には複数の無線基地局（BTS）および複数の移動局（UE）が描かれている。基地局は更に上位の装置に接続されており、上位の装置には、ルータ、ブロードキャストマルチキャストサービスセンター（BM-SC）等が含まれてもよいが、図示の簡明化のためそれらの装置やコアネットワーク等は描かれていない。BTSとUEとの間では、MBMSコンテンツを伝送することが可能な共有無線物理チャネル（E-PDSCH）と、共有無線物理チャネルに付随する共有付随制御チャネル（E-SCCH）とが用意され、E-SCCHはMBMSコンテンツ配信の為の付随制御信号を伝送することができる。E-PDSCH及びE-SCCHの用途はMBMSに限定されず、様々な用途に使用されてもよい。MBMSコンテンツの伝送はマルチキャストと呼んでもよく、本願におけるマルチキャストはブロードキャストを含む広範な概念を意味する。E-PDSCHおよびE-SCCHは、複数のUEが共有して受信可能であり、1以上のE-SCCHが同一セル内で用意されても良い。
【００１５】
E-SCCHは図1下側に示されるように、同一のチャネル上で時間多重されて伝送されても良い。本実施例では時間多重がなされているが、本発明はこれに限定されない。例えばHSDPAで規定されているように、データチャネルと制御チャネルが符号多重されて伝送されてもよい。また、各無線チャネルは拡散符号（スクランブルコード）と呼ばれる符号で、時間方向或いは周波数方向に拡散処理が施されている。スクランブルコードは隣接セル間で異なっているので、UEはスクランブルコードを用いてセルを識別することができる。
【００１６】
＜MBMSコンテンツを配信するまでのプロセス＞
図２はMBMSコンテンツを配信するまでのプロセスを示す。BTSはシステムで予め指定されたタイミングで、報知情報を繰り返し送信する（図示の簡明化のため、報知情報の伝送が１回しか描かれていないが、それは実際には反復的に行われる。）。報知情報には、MBMSに関連しない一般的な情報に加えて、「MBMSコンテンツの受信に必要な共通のパラメータ」も含まれる。例えば、報知情報は、U-planeパラメータ（ヘッダ圧縮の有無、In-sequence-deliveryの有無等）、アクセス規制情報（for IDLE、 CELL_DCH、 URA_PCH）及びMBMS用フレームタイミング情報（UEのDRX周期）等を含んでもよい。UEはセル内に在圏する場合に加えて別のセルへの移行時や電源ON時のタイミングで報知情報を受信する。本実施例では、セル移行時や電源ON時のタイミングで報知情報を受信するが、本発明はこれに限定されない。一般の報知情報と同様に、報知情報が変更された事を検出した場合に、報知情報を受信しても良い。
【００１７】
BTSは、共有無線伝送チャネル（E-PDSCH）の送信に先立って、それに付随する共有制御チャネル（E-SCCH）を所定の送信時間間隔（TTI: Transmission Time Interval）毎に送信する。アクティブ状態又はCELL_DCH状態のUEは通常TTI毎にE-SCCHを受信する。アクティブ状態でない状態（IDLE、CELL_PCH等の状態）のUEは、一例としてMBMS用フレームタイミングで指定されたE-SCCHを間欠的に受信し、この状態はDRX（Discontinuous Receiving）状態とも呼ばれる。
【００１８】
配信予定のMBMSコンテンツが有る場合には、MBMS用のフレームタイミングにてBTSはTMGI（Temporary MBMS Group Identifier）でチャネルコーディングを行なったE-SCCHを伝送し、そのTMGIは配信予定のMBMSコンテンツに割当てられるものである。E-SCCHには、少なくとも該当するMBMSコンテンツの継続性を示すフラグが付与される。E-SCCHは、例えば、該当するMBMSコンテンツの繰り返し番号やAMC情報（変調方式、符号化率等）、OFDM（Orthogonal Frequency Division Multiplexing）のGI長（ガードインターバルの長さ）等の情報を更に含んでも良い。１以上用意されるE-SCCHのどれか1つのE-SCCH上で、MICHは一例として報知情報で指定されたタイミングで伝送され、UEは間欠的に該当チャネルでのMICHを受信する。
【００１９】
MBMSコンテンツの配信はE-SCCHに続くE-PDSCH上で行なわれる。UEはE-SCCHにチャネルコーディングされているTMGIを解析し、自身が加入しているMBMSサービスの中で興味のあるMBMSコンテンツがあれば、それを伝送するMTCHをE-PDSCHで受信する。E-SCCHに、MBMSコンテンツの継続が示されている場合には、エンドフラグに至るまで該当するMBMSコンテンツを周期的に受信する。
【００２０】
＜E-SCCHの構成＞
E-SCCH上で伝送される様々な制御情報の中には、MBMSコンテンツ配信の為の制御情報とそれ以外の一般的な制御情報（逆拡散、復調等に必要な制御情報）とが含まれる。以下の表はE-SCCH上で伝送される様々な制御情報の一例を示すが、本発明はこれに限定されるものではない。また、E-SCCH上で伝送される制御要素は、全てが必須（マンデトリ）ではなく、必要に応じて取捨選択すれば良い。データ長を表す数値は一例であり、これに限定されるものではなく、相応しいデータ長に適宜変更可能である。
【００２１】
【表１】
2007081574.tif 000003
上記の表では、MBMS識別情報、開始フラグ(Start Flag)、終了フラグ(End Flag)及び反復回数がMBMS用の制御情報に該当する。AMC情報、GI情報及びTBサイズは個々のMBMSコンテンツの内容には依存しない一般的な制御情報に該当する。なお、本発明ではMTCHはE-PDSCHで伝送され、その制御情報に相当する情報（MCCH,MSCH）の一部（共通設定情報等）は報知情報として伝送され、MSCH，MCCHの一部（MBMSサービスに依存する情報等）がE-SCCHで伝送される。
【００２２】
＜BTSの構成＞
図３は本実施例で使用される基地局（BTS）の構成を示す。BTSは、制御部、無線伝送部、有線伝送部、タイミング監視部、データ格納部、報知情報作成部、およびSCCH作成部から構成される。
【００２３】
制御部は、BTSの全機能部の動作を司り、BTSの各機能エンティティの動作を制御する機能を有する。無線伝送部は、UEに対して報知情報、付随制御信号を無線チャネル上で伝送する為に必要な機能（拡散、変調・符号化、信号増幅等）を有する。有線伝送部は、上位から伝送されて来たデータをBTSで受信する為に必要な機能を有する。タイミング監視部は、報知情報の伝送タイミングを監視する機能、MBMSコンテンツの伝送タイミングを監視する機能を有する。データ格納部は、上位から受信したMBMSコンテンツをMBMSコンテンツの伝送タイミングまで格納する機能を有する。報知情報作成部は、MBMSコンテンツを伝送する為に必要な共通パラメータ、制御情報を含んで報知情報の作成を行なう。SCCH作成部は、MBMSコンテンツの伝送タイミングで、MBMSコンテンツの配信の為の制御信号を作成する機能を有する。
【００２４】
＜UEの構成＞
図４は本実施例で使用される移動局（UE）の構成を示す。UEは、制御部、無線伝送部、報知情報解析部、SCCH解析部、およびタイミング監視部から構成される。
【００２５】
制御部は、UEの全機能の動作を司り、UEの各機能エンティティの動作を制御する機能を有する。無線伝送部は、BTSから伝送される報知情報、や付随制御信号を受信する為の無線レイヤ特有の機能（逆拡散、復調・復号化等）を有する。報知情報解析部は、受信した報知情報に含まれるMBMS通信用の共通制御パラメータを解析する機能、および解析したパラメータをUEで設定する機能を有する。SCCH解析部は、E-SCCH上で伝送される付随制御信号に、チャネルコーディングされている識別子を解析する機能を有する。タイミング監視部は、報知情報の伝送タイミング、SCCHの伝送タイミングを監視する機能を有する。
【００２６】
＜BTSの動作＞
図５、図６は本実施例で使用される基地局の動作フローを示す。基地局は移動局がMBMS
コンテンツを受信するのに必要な情報を報知情報及び共有制御情報として伝送する。
【００２７】
図５は基地局がBCCH(報知情報)を送信するための動作フローを示す。本実施例では、報知情報の伝送タイミングは、160TTI（1TTI=0.5ms）に設定されているが、本発明はこれに限定されるものではなく、システムに相応しい他の値が使用されてもよい。
【００２８】
先ず、カウンタの値（N）がリセットされ、カウンタ値N=0とする（S1）。カウンタ値N値を160TTIで除算し、余りが0となるか否かが判断される（S2）。ステップS2の判断の結果、余りが0となっていない場合には、カウンタ値Nに、1TTIが加えられ(S21)、フローはステップS2へ戻る。ステップS2の判断の結果、余りが0であった場合には、その時点が報知情報を伝送するタイミングであり、カウンタ値Nはリセットされる（S3）。そして、BCCHで報知情報が伝送され（S4）、その報知情報を送信するフローは終了し、ステップS2に戻る。これにより、160TTI毎に報知情報が送信される。上述したように報知情報には「MBMSコンテンツの受信に必要な共通パラメータ」も含まれる。
【００２９】
図６は基地局がE-SCCHを送信するための動作フローを示す。本実施例では、MBMSフレームタイミングは、200TTI（1TTI=0.5ms）に設定されているが、本発明はこれに限定されるものではなく、システムに相応しい他の値が使用されてもよい。
【００３０】
先ず、カウンタの値（N）がリセットされ、カウンタ値N=0とする（S1）。カウンタ値N値を200TTIで除算し、余りが0となるか否かが判断される（S2）。ステップS2の判断の結果、余りが0となっていない場合には、カウンタ値Nに、1TTIが加えられ(S21)、フローはステップS2へ戻る。ステップS2の判断の結果、余りが0であった場合には、その時点がE-SCCHを伝送するタイミングであり、カウンタ値Nはリセットされる（S3）。
【００３１】
次に、配信すべきMBMSコンテンツがあるか否が判断される（S4）。ステップS4の判断の結果、配信すべきMBMSコンテンツがあった場合には、配信すべきMBMSコンテンツに割当てられているTMGIでチャネルコーディングしたE-SCCHが伝送される（S5）。このE-SCCHには上記の表に列挙されている情報が含まれている。E-SCCHが伝送された後、E-PDSCH上で、MBMSコンテンツが配信される（S6）。以後、フローはステップS2に戻り、説明済みの手順が反復される。ステップS4の判断の結果、配信すべきMBMSコンテンツが無い場合もフローはステップS2に戻り、説明済みの手順が反復される。或いは、ステップS4でMBMSコンテンツは無いが、送信すべきUE固有のデータが有った場合には、それが送信されてもよい。これにより無線効率を更に高めることができる。
【００３２】
＜UEの動作＞
本実施例の想定するUEの動作フローを図7、および8に示す。 
図７は報知情報を受信し、共通パラメータを設定するためのフローを示す。先ず、カウンタ値（N）がリセットされ、カウンタ値N=0とする（S1）。カウンタ値N値を160TTIで除算し、余りが0となるか否かが判断される（S2）。ステップS2の判断の結果、余りが0となっていない場合には、カウンタ値Nに、1TTIが加えられ(S21)、フローはステップS2へ戻る。ステップS2の判断の結果、余りが0であった場合には、その時点が報知情報を受信するタイミングであり、カウンタ値Nはリセットされる（S3）。そして、報知情報が受信される（S4）。報知情報に含まれるMBMS配信用の共通パラメータが解析され、解析された共通パラメータに合わせた設定がなされる（Step 5）。以後フローはステップS2に戻り、説明済みの手順が反復される。
【００３３】
図８はE-SCCHを受信するためのフローを示す。先ず、カウンタの値（N）がリセットされ、カウンタ値N=0とする（S1）。カウンタ値N値を200TTIで除算し、余りが0となるか否かが判断される（S2）。ステップS2の判断の結果、余りが0となっていない場合には、カウンタ値Nに、1TTIが加えられ(S21)、フローはステップS2へ戻る。ステップS2の判断の結果、余りが0であった場合には、その時点がE-SCCHのフレームタイミングであり、カウンタ値Nはリセットされる（S3）。
【００３４】
次に、配信されるMBMSコンテンツがあるか確認する為、E-SCCHを受信し、E-SCCHのチャネルコーディングを解析する（S4）。E-SCCHのチャネルコーディングを解析した結果、ユーザが加入済みであって興味のあるMBMSコンテンツの有無が判断される（S5）。ステップS5の判断の結果、興味のあるMBMSコンテンツが有った場合には、MBMSコンテンツの受信が開始される（S6）。E-SCCH上でエンドフラグが示されるまで、E-PDSCH上で該当するMBMSコンテンツの受信が継続される。以後フローはステップS2に戻り、説明済みの手順が反復される。ステップS5の判断の結果、サービスに加入していない或いは興味の無いMBMSコンテンツしかなかった場合にもフローはステップS2に戻り、説明済みの手順が反復される。
【実施例２】
【００３５】
本発明の第２実施例では、目下UEが在圏しているセル（serving cell）、周囲のセル(Non serving cell)から伝送される同一のMBMSコンテンツが合成される。本実施例では複数の基地局が互いに時間的に同期していることが望ましい。本実施例で使用されるUEの無線伝送部は、近隣セルから伝送される複数のE-SCCHを同時に受信できるように、複数の逆拡散、復調機能を同時に動作させる機能を有する。本実施例における「セル」は複数の「セクタ」を含むように定義されてもよいし、或いはセルとセクタが同義的に使用されてもよい。本発明はいずれの場合にも使用可能である。以下の説明では便宜上「セル」と「セクタ」は同義的に使用される。
【００３６】
UEは、所定の条件（受信電力、SIR等）を満足する自セル以外のセル（他セル）を判別し、他セルで送信されているE-SCCHを受信し、同一タイミングで伝送されているMBMSコンテンツを同相で合成し（ソフトコンバイニング(Soft combining)を実行し）、効率的に合成することができる。ここで、周囲のセルから伝送されるE-SCCHの伝送速度、拡散率、周波数等は同じであることが望ましい。また、E-PDSCH上で伝送されるMBMSコンテンツの伝送速度、拡散率、周波数、GI長等も同一であることが望ましい。
【００３７】
図２はMBMSコンテンツを配信するまでのプロセスを示す。BTSはシステムで予め指定されたタイミングで、報知情報を繰り返し送信する（図示の簡明化のため、報知情報の伝送が１回しか描かれていないが、それは実際には反復的に行われる。）。報知情報には、MBMSに関連しない一般的な情報に加えて、「MBMSコンテンツの受信に必要な共通のパラメータ」も含まれる。例えば、報知情報は、U-planeパラメータ（ヘッダ圧縮の有無、In-sequence-deliveryの有無等）、アクセス規制（for IDLE、 CELL_DCH、 URA_PCH）及びMBMS用フレームタイミング（UEのDRX周期）等を含んでもよい。UEはセル内に在圏する場合に加えて別のセルへの移行時や電源ON時のタイミングで報知情報を受信する。
【００３８】
BTSは、共有無線伝送チャネル（E-PDSCH）の送信に先立って、それに付随する共有制御チャネル（E-SCCH）を所定の送信時間間隔（TTI: Transmission Time Interval）毎に送信する。アクティブ状態又はCELL_DCH状態のUEは通常TTI毎にE-SCCHを受信する。アクティブ状態でない状態（IDLE、CELL_PCH等の状態）のUEは、一例としてMBMS用フレームタイミングで指定されたE-SCCHを間欠的に受信する。この状態はDRX（Discontinuous Receiving）状態とも呼ばれる。
【００３９】
UEは、隣接セルの電力測定（メジャメント）を行い、他セルからのCPICHの受信パワー(RSCP: Received Signal Code Power)が所定の閾値を越えるか否かを判別する。一例としてRSCPが使用されているが、信号品質を表現する他の量（SIR等）が使用されてもよい。UEがDRX状態であれば、DRX等のタイミングで隣接セルの電力が測定される。閾値を超えるRSCPを与えるセルが見つかった場合には、UEは自セル（サービングセル）のE-SCCHに加えて隣接セルのE-SCCHの受信を開始する。
【００４０】
MBMS用のフレームタイミングにて配信予定のMBMSコンテンツが有る場合には、BTSはTMGIでチャネルコーディングを行なったE-SCCHを伝送し、そのTMGIは配信予定のMBMSコンテンツに割当てられるものである。E-SCCHには、少なくとも該当するMBMSコンテンツの継続性を示すフラグが付与される。E-SCCHは、例えば、該当するMBMSコンテンツの繰り返し番号やAMC情報、OFDMのGI長等の情報を更に含んでも良い。
【００４１】
MBMSコンテンツの配信はE-SCCHに続くE-PDSCH上で行なわれる。UEはE-SCCHにチャネルコーディングされているTMGIを解析し、自身が加入しているMBMSサービスの中で興味のあるMBMSコンテンツがあれば、それを伝送するMTCHをE-PDSCHで受信する。E-SCCHに、MBMSコンテンツの継続が示されている場合には、エンドフラグに至るまで該当するMBMSコンテンツを周期的に受信する。
【図面の簡単な説明】
【００４２】
【図１】本実施例で想定される通信システムを示す図である。
【図２】MBMSコンテンツ（MTCH）を配信するまでの手順を示す図である。
【図３】BTSの機能ブロック図を示す。
【図４】UEの機能ブロック図を示す。
【図５】BTSが報知情報（BCCH）を送信するためのフローチャートを示す。
【図６】BTSがE-SCCHを送信するためのフローチャートを示す。
【図７】UEが報知情報（BCCH）を受信するためのフローチャートを示す。
【図８】UEがE-SCCHを受信するためのフローチャートを示す。
【図９】MBMSコンテンツ（MTCH）を配信するまでの手順を示す図である。
【符号の説明】
【００４３】
UE  移動局
BTS  基地局
BCCH  報知チャネル
E-PDSCH  共有無線物理チャネル
E-SCCH  共有付随制御チャネル
MTCH  MBMS用トラヒックチャネル
MCCH  MBMS用制御チャネル
MSCH  MBMS用スケジュールチャネル
MICH  MBMSインディケータチャネル
【図１】
2007081574.tif 000004
【図２】
2007081574.tif 000005
【図３】
2007081574.tif 000006
【図４】
2007081574.tif 000007
【図５】
2007081574.tif 000008
【図６】
2007081574.tif 000009
【図７】
2007081574.tif 000010
【図８】
2007081574.tif 000011
【図９】
2007081574.tif 000012